【手続補正書】
【提出日】平成26年9月8日(2014.9.8)
【手続補正１】
【補正対象書類名】特許請求の範囲
【補正対象項目名】全文
【補正方法】変更
【補正の内容】
【特許請求の範囲】
【請求項１】
遊技媒体の投入により遊技を開始可能となり、投入した遊技媒体を一定数クレジットとして貯留可能な遊技機であって、
表面に複数の図柄が表示された複数の回転リールを備えるとともに、
遊技を進行させるための遊技操作を行う操作スイッチとして、
クレジットとして貯留されている遊技媒体を投入遊技媒体に換えてクレジットを減じるためのベットスイッチと、
前記複数の回転リールの回転を開始させるためのスタートスイッチと、
回転中の前記回転リールを個々に停止させるためのストップスイッチとを備え、
前記ベットスイッチ、スタートスイッチ、ストップスイッチからの操作信号に基づいて、遊技を制御するための制御装置を備え、
前記スタートスイッチの操作により回転開始した前記複数の回転リールが、前記ストップスイッチの操作により全て停止したときに、各回転リールに表示されている図柄があらかじめ定められた組合せとなるよう表示された場合には遊技結果に応じた利益が付与され、
１回の遊技が終了した後であっても、あらかじめ定められた遊技制限時間の経過前には遊技の進行が制限されるように形成された遊技機において、
遊技として、通常の遊技と、当該通常の遊技とは異なる擬似遊技と、を備え、
前記制御装置は、前記通常の遊技と前記擬似遊技とを１回の遊技ごとに交互に行わせることを特徴とする遊技機。
【請求項２】
前記擬似遊技は特定の遊技期間に行われることを特徴とする請求項１記載の遊技機。
【請求項３】
前記特定の遊技期間はリプレイタイムであることを特徴とする請求項２記載の遊技機。
【請求項４】
前記通常の遊技及び前記擬似遊技は、同一の前記回転リールと、同一の前記ストップスイッチとを用いて行うことを特徴とする請求項１、２又は３記載の遊技機。
【請求項５】
前記制御装置は、前記回転リールの回転を制御するとともに、前記回転リールの回転停止を制御するためのリール制御手段を備え、
前記リール制御手段は、前記擬似遊技において、前記通常の遊技で用いられる停止制御と同様の停止制御を行うことを特徴とする請求項１、２、３又は４記載の遊技機。
【請求項６】
所定条件下で入賞を補助する報知を行う報知遊技区間が設定され、
前記制御装置は、前記擬似遊技の結果がいかなる遊技結果であっても遊技媒体の払い出しを行わないものの、遊技結果に応じて前記報知遊技区間に関する利益を付与することを特徴とする請求項１、２、３、４又は５記載の遊技機。
【手続補正２】
【補正対象書類名】明細書
【補正対象項目名】０００７
【補正方法】変更
【補正の内容】
【０００７】
本発明に係る遊技機は、スロットマシンやパロット遊技機とすることができ、上記構成の他にも、入賞時に遊技媒体を払い出すための払い出し装置（ホッパーユニット65）その他の構成部品を備えていてもよい。なお、「遊技媒体」とは、遊技に使用するメダルや遊技球（パチンコ球）、コインなどを含むものである。
前記「遊技操作」とは、ベットスイッチ(16)による投入操作、スタートスイッチ(18)によるスタート操作、ストップスイッチ(19)による停止操作のことである。
前記「遊技結果に応じた利益」とは、入賞により遊技媒体が払い出しされることや、ボーナスゲームなどの有利遊技に移行することや、遊技媒体の投入なしに次遊技を行えること（再遊技）を含むものである。
【手続補正３】
【補正対象書類名】明細書
【補正対象項目名】０００９
【補正方法】変更
【補正の内容】
【０００９】
本発明においては、遊技として、通常の遊技と、当該通常の遊技とは異なる擬似遊技と、を備え、前記制御装置(20)は、前記通常の遊技と前記擬似遊技とを１回の遊技ごとに交互に行わせることを特徴とする。
【手続補正４】
【補正対象書類名】明細書
【補正対象項目名】００１０
【補正方法】変更
【補正の内容】
【００１０】
ここで、「擬似遊技」とは、遊技スタートスイッチ(18)の操作に基づき前記回転リール(40)を擬似的に回転させ、擬似的に回転している回転リール(40)を前記ストップスイッチ(19)の操作に基づき擬似的に停止させることが可能な遊技である。
回転リール(40)を「擬似的に回転させる」又は「擬似的に停止させる」とは、その回転リール(40)の回転又は停止が本来の遊技によるものではないことを意味するものであり、回転リール(40)の回転態様、例えば加速度や定常回転速度が本来の遊技時と同じであっても、回転リール(40)の回転又は停止は擬似的なものである。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
（作用）
本発明においては、ウエイト時間の経過の有無にかかわらず、１回の遊技ごとに、擬似遊技が行われる。擬似遊技中には、ベットスイッチ(16)、スタートスイッチ(18)、ストップスイッチ(19)の操作信号は有効であるが、それらの操作スイッチにより行われる遊技操作は全て擬似的なものとして扱われる。すなわち、投入操作によっても遊技媒体が投入されたものとしては扱われず、スタート操作、停止操作により回転リール(40)を作動させることができても、その遊技結果は付与利益に反映されない。このように、擬似遊技期間中は、本来の遊技進行が一時停止する一種のフリーズ状態としてとらえることができる。換言すれば、本発明は、フリーズ期間中に擬似遊技を実行可能としたものということができる。
【手続補正９】
【補正対象書類名】明細書
【補正対象項目名】００１５
【補正方法】変更
【補正の内容】
【００１５】
本発明によれば、１回の遊技開始時に遊技制限時間が経過していなかったとしても、フリーズ状態としての擬似遊技に移行し、本来の遊技と同様の遊技操作によって擬似遊技を実行することが可能である。従って、遊技を行っている遊技者にすると、あたかもウエイト時間が無いような感覚での遊技操作が可能となる。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
（請求項２）
請求項２記載の発明は、上記した請求項１記載の発明の特徴点に加え、次の点を特徴とする。
すなわち、前記擬似遊技は特定の遊技期間に行われることを特徴とする。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
（請求項３）
請求項３記載の発明は、上記した請求項２記載の発明の特徴点に加え、次の点を特徴とする。
すなわち、前記特定の遊技期間はリプレイタイムであることを特徴とする。
【手続補正１５】
【補正対象書類名】明細書
【補正対象項目名】００２１
【補正方法】変更
【補正の内容】
【００２１】
（請求項４）
請求項４記載の発明は、上記した請求項１、２又は３記載の発明の特徴点に加え、次の点を特徴とする。
すなわち、前記通常の遊技及び前記擬似遊技は、同一の前記回転リール(40)と、同一の前記ストップスイッチ(19)とを用いて行うことを特徴とする。
【手続補正１６】
【補正対象書類名】明細書
【補正対象項目名】００２２
【補正方法】変更
【補正の内容】
【００２２】
（請求項５）
請求項５記載の発明は、上記した請求項１、２、３、又は４記載の発明の特徴点に加え、次の点を特徴とする。
すなわち、前記制御装置(20)は、前記回転リール(40)の回転を制御するとともに、前記回転リール(40)の回転停止を制御するためのリール制御手段(90)を備え、前記リール制御手段(90)は、前記擬似遊技において、前記通常の遊技で用いられる停止制御と同様の停止制御を行うことを特徴とする。
【手続補正１７】
【補正対象書類名】明細書
【補正対象項目名】００２３
【補正方法】変更
【補正の内容】
【００２３】
（請求項６）
請求項６記載の発明は、上記した請求項１、２、３、４又は５記載の発明の特徴点に加え、次の点を特徴とする。
すなわち、所定条件下で入賞を補助する報知を行う報知遊技区間が設定され、前記制御装置(20)は、前記擬似遊技の結果がいかなる遊技結果であっても遊技媒体の払い出しを行わないものの、遊技結果に応じて前記報知遊技区間に関する利益を付与することを特徴とする。
【手続補正１８】
【補正対象書類名】明細書
【補正対象項目名】００２４
【補正方法】削除
【補正の内容】